(57)【特許請求の範囲】
【請求項１】
冷蔵庫本体と、
この冷蔵庫の外郭を形成する外箱と、
前記冷蔵庫本体の内壁を形成する内箱と、
前記外箱と内箱間の空間に断熱材を充填発泡した筺体を上下に区画する中仕切と、
後端に移動ローラを設けた左右一対のフレームが取り付けられた引き出し扉と、
前記中仕切の両側を立ち上げて一体に形成され、前記移動ローラが摺動する左右一対の引き出し扉レール部と、
前記内箱の奥行き方向に凹設され、前記引き出し扉レール部を取り付ける引き出し扉レール取り付け部と、
前記中仕切前側に配置され、前記フレームを下方より支持する固定ローラと、を備え、前記中仕切に、前記断熱材充填発泡後に該中仕切を前記内箱に固定するための中仕切フランジ部を備え、この中仕切フランジ部をネジにより前記内箱に固定することにより、前記中仕切、前記引き出し扉レール部を着脱自在としたことを特徴とする冷蔵庫。
【請求項２】
前記引き出し扉レール取り付け部の上面を内側が低く傾斜した傾斜面とし、前記引き出し扉レール部の上側を前記傾斜面に沿った形状の傾斜部とし、前記引き出し扉レール取り付け部の傾斜面と前記引き出し扉レール部の傾斜部が接し係止していることを特徴とする請求項１記載の冷蔵庫。
【発明の詳細な説明】
【０００１】
【発明の属する技術分野】
この発明は、冷蔵庫の引き出し扉のレール構造に関するものである。
【０００２】
【従来の技術】
図５〜７は、例えば実開平１−１３４８８９号公報及び特開平８−２４７６３８号公報に示された冷蔵庫を示す図である。図において、１は冷蔵庫本体、２は冷蔵庫本体１の外郭を形成する鋼板製の外箱、３は冷蔵庫本体１の内壁を形成する合成樹脂製の内箱、４は外箱２と内箱３との間に充填発泡された断熱材、５は内箱３を上下に区画する中仕切、６は中仕切上板、６ａは中仕切５の前側の中仕切上板６を凹状に形成した左右一対のローラ収納部、６bはローラ収納部６aの左右に対向して凹設されたローラ軸受け部、６ｃは中仕切上板６の前部を断面略コ字状に形成した前板取り付け部、７は中仕切下板、８は中仕切上板６と下板７との間に位置する中仕切断熱材である。
【０００３】
９はローラ収納部に軸１０を介して回転自在に取り付く固定ローラ、１１は鋼板を逆コ字状に成型して前記前板取り付け部６ｃに装着された前板、１２は前板裏面に貼付された露付防止ヒータ、１３は露付防止ヒータ１２のさらに裏面に位置する前部断熱材、１４は内箱凹設したレール取り付け部３ａに取り付く左右一対の引き出し扉レール、１４ａは取り付け爪で、内箱３の取り付け穴３ｂに係止される。
【０００４】
１５は引き出し扉、１６は鋼板を断面略Ｌ字状に成型して前記引き出し扉に取り付く左右一対の引き出し扉フレーム、１６ａは前記フレーム１６の内側を下方に折り曲げたガイト部、１７はフレームの後端に取り付く移動ローラ、１８はフレーム１６の下辺上に載置された食品収納容器、１９は中仕切６を左右より内箱３に締結するネジである。
【０００５】
次に動作を説明する。上記の構成において引き出し扉１５はフレーム１６を介して冷蔵庫本体１に取り付けられ、フレーム１６は固定ローラ９に下方より支持され、移動ローラ１７が引き出し扉レール１４内を前後を自在に摺動するので引き出し扉１５は容易に開閉する事ができる。
又引き出し扉レール１４は、取り付け爪１４ａで内箱３に取り付け後に断熱材４が充填発泡され、断熱材４が取り付け爪１４ａの周囲に固着して内箱３に強固に固定されている。
【０００６】
【発明が解決しようとする課題】
従来の冷蔵庫は、以上のように引き出し扉レール１４と固定ローラ９が別々の部品で構成され、内箱３・中仕切５等の多部品を介して取り付けられているので、取り付け位置のバラツキが生じ易く、引き出し扉レール１４と固定ローラ９間の上下位置、左右レールの位置のバラツキが原因で、引き出し扉１５が傾いて取り付けられ、外観不良が発生するという問題点があった。
【０００７】
又引き出し扉レール１４は断熱４が取り付け爪１４ａの周囲に固着して内箱３に強固に固定されているので組み立て工程内、客先等でレールが破損した際部品交換が不可能だった。
さらに部品構成部品の点数が多く、コストの高いものであった。
【０００８】
この発明は、かかる問題点を解消するためになされたもので、引き出し扉が傾いて取り付けられることがなく、引き出し扉レールが破損した際部品交換が可能であり、部品点数が少なく、組立性がよく、安価な冷蔵庫を提供することを目的とする。
【０００９】
【課題を解決するための手段】
この発明に係る冷蔵庫は、冷蔵庫本体と、この冷蔵庫の外郭を形成する外箱と、冷蔵庫本体の内壁を形成する内箱と、外箱と内箱間の空間に断熱材を充填発泡した筺体を上下に区画する中仕切と、後端に移動ローラを設けた左右一対のフレームが取り付けられた引き出し扉と、中仕切の両側を立ち上げて一体に形成され、移動ローラが摺動する左右一対の引き出し扉レール部と、内箱の奥行き方向に凹設され、引き出し扉レール部を取り付ける引き出し扉レール取り付け部と、中仕切前側に配置され、フレームを下方より支持する固定ローラとを備え、中仕切に、断熱材充填発泡後に中仕切を内箱に固定するための中仕切フランジ部を備え、この中仕切フランジ部をネジにより内箱に固定することにより、中仕切、引き出し扉レール部を着脱自在としたことを特徴とする。
【００１１】
また、引き出し扉レール取り付け部の上面を内側が低く傾斜した傾斜面とし、引き出し扉レール部の上側を傾斜面に沿った形状の傾斜部とし、引き出し扉レール取り付け部の傾斜面と引き出し扉レール部の傾斜部が接し係止しているものである。
【００１２】
【発明の実施の形態】
実施の形態１．
以下、この発明の実施の形態１を図について説明する。
図１は実施の形態１による冷蔵庫の部分断面図、図２は図１のＡ−Ａ線断面図である。尚図３〜５と同一または相当部分は同一符号を付し説明は省略する。
図１、２において、６ｄは中仕切上板６の両側を立ち上げ、内側に向かって開口した左右一対の引き出し扉レール部、３ａは内箱３を引き出しレール部６ｄの奥行きに渡り凹設したレール取り付け部、２１は引き出しレール部６ｄ下部の内箱３壁面間の空間、６ｅは前記空間２１の奥行き方向に複数本配置された補強リブである。
【００１３】
１９は中仕切６を内箱３に締結するネジ、６ａは中仕切５の前側の中仕切上板６を凹状に形成した左右一対のローラ収納部、６ｂはローラ収納部６ａの左右に対向して凹設されたローラ軸受け部、９はローラ収納部６ａに軸１０を介して取り付けられる固定ローラである。
【００１４】
次に動作について説明する。上記の構成によれば、引き出し扉レール部６ｄとローラ収納部６ａは中仕切上板６に一体に成形されているため、引き出し扉レール部６ｄと固定ローラ９間上下位置、左右レールの位置のバラツキが生じることがないので、フレーム１６は冷蔵庫本体１に水平に取り付き、引き出し扉１５は傾くことがない。
【００１５】
実施の形態２．
以下、この発明の実施の形態２を図について説明する。
図３は実施の形態２による冷蔵庫の部分断面図、図４は図３のＢ−Ｂ線断面図である。図において、３ａは内箱３を引き出し部６ｄの奥行きに渡り前方に開放したレール取り付け部、３ｃはレール取り付け部３ａ上面を内側が低く傾斜した傾斜面、６ｄは中仕切上板６の両側を立ち上げ内側に向かって開口した引き出し扉レール部、６ｆはレール取り付け部３ａの傾斜面３ｃに沿った形状で引き出し扉レール部６ｄの上側に設けられた傾斜部、２０は断熱材４充填発泡前に内箱３外面に取り付けられたネジ板、５は断熱材４充填発泡後に内箱３の前側より装着された前述の中仕切、７ａは中仕切下板７の左右を下方に延出させた左右一対の下フランジ、７ｂは下フランジ７ａに開口した複数のネジ穴、１９は内箱２を介してネジ板２０に締結するネジである。
【００１６】
内箱３のレール取り付け部３ａは前方に開放しており、中仕切５及び引き出し扉レール部６ｄは内箱３前方より水平に装着される、このときレール取り付け部３ａの傾斜面３ｃと引き出し扉レール部６ｄの傾斜部６ｆは接するように構成されている。
【００１７】
次に動作について説明する。
上記の構成によれば、引き出し扉レール６ｄを一体に成形した中仕切５は断熱材４充填発泡後に取り付けられ、ネジ１９により内箱３に固定されているので、発泡完了品であっても中仕切５、引き出し扉レール部６ｄの着脱が可能であり、内箱３のレール取り付け部３ａの傾斜面３ｃと引き出し扉レール部６ｄの傾斜部６ｆが接し係止しているので、引き出し扉レール部６ｄは内箱３に強固に取り付けられ内側に倒れ込むこともなく左右レール間の所定の幅寸法を確保できる。
又仕切下板７の左右の下フランジ７ｂが、ネジ１９により内箱２を介してネジ板２０に締結されているので、冷蔵庫が運転し内箱２断熱材３が冷却され線膨張により収縮したとしても中仕切５は内箱２より離脱する事がない。
【００１８】
【発明の効果】
この発明に係る冷蔵庫は、冷蔵庫本体と、この冷蔵庫の外郭を形成する外箱と、冷蔵庫本体の内壁を形成する内箱と、外箱と内箱間の空間に断熱材を充填発泡した筺体を上下に区画する中仕切と、後端に移動ローラを設けた左右一対のフレームが取り付けられた引き出し扉と、中仕切の両側を立ち上げて一体に形成され、移動ローラが摺動する左右一対の引き出し扉レール部と、内箱の奥行き方向に凹設され、引き出し扉レール部を取り付ける引き出し扉レール取り付け部と、中仕切前側に配置され、フレームを下方より支持する固定ローラとを備え、中仕切に、断熱材充填発泡後に中仕切を内箱に固定するための中仕切フランジ部を備え、この中仕切フランジ部をネジにより内箱に固定することにより、中仕切、引き出し扉レール部を着脱自在としたので、引き出し扉レールと固定ローラとの位置関係が正確に形成されるので引き出し扉が傾いて取り付くことが抑制される。また、中仕切と一体に成形された引き出し扉レール部は断熱材充填発泡後に着脱可能となり、組み立て工程内に部品が破損した場合や、客先で引き出し扉レール部が破損したとしても簡単に部品交換ができる。
【００２０】
また、引き出し扉レール取り付け部の上面を内側が低く傾斜した傾斜面とし、引き出し扉レール部の上側を傾斜面に沿った形状の傾斜部とし、引き出し扉レール取り付け部の傾斜面と引き出し扉レール部の傾斜部が接し係止している構成にしたので、引き出し扉レール部は内箱に強固に取り付けられ内側に倒れ込むこともなく左右レール間の所定の幅寸法を確保できる。
【図面の簡単な説明】
【図１】  この発明の実施の形態１による冷蔵庫の部分断面図である。
【図２】  図１のＡ−Ａ線断面図である。
【図３】  実施の形態２による冷蔵庫の部分断面図である。
【図４】  図２のＢ−Ｂ線断面図である。
【図５】  従来の冷蔵庫の外観図である。
【図６】  従来の冷蔵庫の部分断面図である。
【図７】  図６のＣ−Ｃ線断面図である。
【符号の説明】
１  冷蔵庫本体、２  外箱、３  内箱、３ａ  引き出し扉レール取り付け部、３ｂ  取り付け穴、３ｃ  傾斜面、４  断熱材、５  中仕切、６  中仕切上板、６ａ  ローラ収納部、６ｂ  ローラ軸受け部、６ｃ  前板取り付け部、６ｄ  引き出し扉レール部、６ｅ  補強リブ、６ｆ  傾斜部、７  中仕切下板、７ａ  下側フランジ、７ｂ  ネジ穴、８  中仕切断熱材、９  固定ローラ、１０  軸、１１  前板、１２  露付防止ヒータ、１３  前部断熱材、１４  引き出し扉レール、１４ａ  取り付け爪、１５  引き出し扉、１６  フレーム、１６ａ  ガイド部、１７  移動ローラ、１８  食品収納容器、１９  ネジ、２０  ネジ板。
【図１】
0003648052.tif 000002
【図２】
0003648052.tif 000003
【図３】
0003648052.tif 000004
【図４】
0003648052.tif 000005
【図５】
0003648052.tif 000006
【図６】
0003648052.tif 000007
【図７】
0003648052.tif 000008